(57)【要約】      （修正有）【課題】性能を向上させることができるゴルフクラブヘッドを提供する。【解決手段】ゴルフクラブヘッド６００が打撃面６０４を有する。レッジ６１６が、ゴルフクラブヘッドの外周接触リム６４４から延在する。打撃面が、リム６３４の近傍でクラブヘッド本体６０２に固定される。打撃面とレッジとの間には隙間がある。内壁６０６の外周縁６２０は、前記隙間内に配置されてレッジと接触している。打撃面の裏面は、内壁の一部分と接触している。【選択図】図６
0003220763.tif 000002
【実用新案登録請求の範囲】
【請求項１】
打撃面と、
外周接触リム、及び前記外周接触リムから延在するレッジを備えるクラブヘッド本体であって、前記打撃面が前記外周接触リムの近傍で前記クラブヘッド本体に固定され、前記レッジが前記打撃面の裏面から離間して前記レッジと前記打撃面との間に隙間を画定するようになっている、クラブヘッド本体と、
外周縁を備える内壁であって、前記外周縁の少なくとも一部分が前記隙間に配置されて前記レッジと接触し、前記打撃面の前記裏面が前記内壁の一部分と接触する、内壁と、
を備えるゴルフクラブヘッド。
【請求項２】
前記レッジが、前記外周接触リムから内方へ延在し、前記レッジが、前記外周接触リムからずれており、前記内壁が、前記打撃面と実質的に平行である、請求項１に記載のゴルフクラブヘッド。
【請求項３】
前記外周縁がテーパー状である、請求項１に記載のゴルフクラブヘッド。
【請求項４】
前記クラブヘッド本体が、ソール、トップライン、ヒール、及びトーを更に備え、前記レッジが、前記ソール、前記トップライン、前記ヒール、及び前記トーのうちの少なくとも１つの近傍に配置されている、請求項１に記載のゴルフクラブヘッド。
【請求項５】
前記外周縁が、前記トップライン及び前記ソールの近傍に配置された前記レッジの一部分と接触している、請求項４に記載のゴルフクラブヘッド。
【請求項６】
前記打撃面が中立位置にあるときに前記外周縁のヒール部分が前記レッジによって支持されていない、請求項４に記載のゴルフクラブヘッド。
【請求項７】
前記打撃面が撓み位置にあるときに前記外周縁の前記ヒール部分がリップと接触している、請求項６に記載のゴルフクラブヘッド。
【請求項８】
前記内壁の前記外周縁が、前記打撃面の外周縁に実質的に類似した形状になっている、請求項１に記載のゴルフクラブヘッド。
【請求項９】
外周接触リム、及び前記外周接触リムの前記少なくとも一部分から内方へ延在するレッジを備える本体部分であって、前記レッジが、前記外周接触リムから分離している、本体部分と、
縁及び中央部分を有する内側プレートであって、前記縁の少なくとも一部分が前記レッジと接触している、内側プレートと、
前記外周接触リムに固定された打撃面であって、前記打撃面が中立位置にあるときに前記打撃面の裏面が前記内側プレートの前記中央部分と接触している、打撃面と、
を備えるゴルフクラブヘッド。
【請求項１０】
前記打撃面が撓み位置にあるときに前記打撃面の前記裏面が前記内側プレートの前記中央部分と接触している、請求項９に記載のゴルフクラブヘッド。
【請求項１１】
前記内側プレートの前記縁がテーパー状であり、前記撓み位置にあるときに、前記打撃面の前記裏面及び前記内側プレートの外周縁が、前記打撃面の前記裏面と前記内側プレートの前記外周縁との間に空間を画定する、請求項１０に記載のゴルフクラブヘッド。
【請求項１２】
前記内側プレートが、トップライン縁、ソール縁、及びヒール縁を備え、前記打撃面が中立位置にあるときに前記トップライン縁及び前記ソール縁が前記レッジと接触している、請求項９に記載のゴルフクラブヘッド。
【請求項１３】
前記打撃面が撓み位置にあるときに、（ａ）前記トップライン縁及び前記ソール縁が、前記レッジと接触しており、且つ、（ｂ）前記ヒール縁が、クラブヘッド本体から延在するリップと接触している、請求項１２に記載のゴルフクラブヘッド。
【請求項１４】
前記打撃面が前記外周接触リムの付近に固定される、請求項９に記載のゴルフクラブヘッド。
【請求項１５】
前記本体部分が、トップライン縁、ソール縁、ヒール縁、及びトー縁を備え、前記レッジが、実質的に前記トップライン縁、前記ソール縁、前記ヒール縁、及び前記トー縁のうちの少なくとも１つの全長に沿って延在する、請求項９に記載のゴルフクラブヘッド。
【請求項１６】
前記レッジが、２つのレッジを含み、前記２つのレッジが、前記外周接触リムの対向する縁の近傍に配置される、請求項１５に記載のゴルフクラブヘッド。
【請求項１７】
外周接触リム、及び前記外周接触リムの対向する少なくとも２つの縁から内方へ延在するレッジを備えるクラブヘッド本体と、
前記外周接触リムの近傍で前記クラブヘッド本体に接続された打撃面と、
中央領域を画定する中央部分、及び前記中央部分を取り囲むと共に前記中央領域よりも小さい縁領域を画定する縁を備える内壁であって、前記縁が前記レッジと接触しており、前記打撃面が中立位置にあるときも撓み位置にあるときも、前記打撃面の裏面が前記中央部分に接触すると共に前記縁から離間している、内壁と、
を備えるゴルフクラブヘッド。
【請求項１８】
前記中立位置における前記縁と前記打撃面の前記裏面との間隔が、前記撓み位置における前記縁と前記打撃面の前記裏面との間隔よりも大きい、請求項１７に記載のゴルフクラブヘッド。
【請求項１９】
前記中央領域が、前記内壁の総面積の約７８％の面積を有する、請求項１７に記載のゴルフクラブヘッド。
【請求項２０】
前記打撃面及び前記内壁が実質的に類似した外周形状を有する、請求項１７に記載のゴルフクラブヘッド。
【考案の詳細な説明】
【技術分野】
【０００１】
本考案は、支持壁を有する打撃面を具備するゴルフクラブに関する。
【背景技術】
【０００２】
ゴルファーにとって、ゴルフのラウンドを終えるのに要したスイングの総数を減らすことによってトータルスコアを下げることが目標である。その目標を達成するため、ゴルファーは、多くの場合、ゴルフボールを長距離に打つことを望むことがある。ゴルフボールの飛距離は、ゴルファーのスキルとゴルファーが使用する道具との両方に依存する。ゴルフクラブに関しては、打撃面の構造は、クラブの他の要素と共に、クラブで打ったときのボールの飛び出すスピードに影響を及ぼす。例えば、打撃面がゴルフボールに接触すると、打撃面は、クラブフェースから離れたときにゴルフボールのスピードを加速させるばねのような効果をもたらすことがある。
【考案の概要】
【０００３】
１つの態様では、ゴルフクラブヘッドに関する技術であり、ゴルフクラブヘッドは、打撃面と、外周接触リム、及び前記外周接触リムから延在するレッジを備えるクラブヘッド本体であって、前記打撃面が前記外周接触リムの近傍で前記クラブヘッド本体に固定され、前記レッジが前記打撃面の裏面から離間して前記レッジと前記打撃面との間に隙間を画定するようになっている、クラブヘッド本体と、外周縁を備える内壁であって、前記外周縁の少なくとも一部分が前記隙間に配置されて前記レッジと接触し、前記打撃面の前記裏面が前記内壁の一部分と接触する、内壁と、を備える。実施例では、前記レッジが、前記外周接触リムから内方へ延在し、前記レッジが、前記外周接触リムからずれており、前記内壁が、前記打撃面と実質的に平行である。別の実施例では、前記外周縁がテーパー状である。さらに別の実施例では、前記クラブヘッド本体が、ソール、トップライン、ヒール、及びトーを更に備え、前記レッジが、前記ソール、前記トップライン、前記ヒール、及び前記トーのうちの少なくとも１つの近傍に配置されている。さらに別の実施例では、前記外周縁が、前記トップライン及び前記ソールの近傍に配置された前記レッジの一部分と接触している
【０００４】
上記の態様の別の実施例では、前記打撃面が中立位置にあるときに前記外周縁のヒール部分が前記レッジによって支持されていない。実施例では、前記打撃面が撓み位置にあるときに前記外周縁の前記ヒール部分がリップと接触している。別の実施例では、前記内壁の前記外周縁が、前記打撃面の外周縁に実質的に類似した形状になっている。
【０００５】
別の態様では、ゴルフクラブヘッドに関する技術であり、ゴルフクラブヘッドは、外周接触リム、及び前記外周接触リムの前記少なくとも一部分から内方へ延在するレッジを備える本体部分であって、前記レッジが、前記外周接触リムから分離している、本体部分と、縁及び中央部分を有する内側プレートであって、前記縁の少なくとも一部分が前記レッジと接触している、内側プレートと、前記外周接触リムに固定された打撃面であって、前記打撃面が中立位置にあるときに前記打撃面の裏面が前記内側プレートの前記中央部分と接触している、打撃面と、を備える。実施例では、前記打撃面が撓み位置にあるときに前記打撃面の前記裏面が前記内側プレートの前記中央部分と接触している。別の実施例では、前記内側プレートの前記縁がテーパー状であり、前記撓み位置にあるときに、前記打撃面の前記裏面及び前記内側プレートの前記外周縁が、前記打撃面の前記裏面と前記内側プレートの前記外周縁との間に空間を画定する。さらに別の実施例では、前記内側プレートが、トップライン縁、ソール縁、及びヒール縁を備え、前記打撃面が中立位置にあるときに前記トップライン縁及び前記ソール縁が前記レッジと接触している。さらに別の実施例では、前記打撃面が撓み位置にあるときに、（ａ）前記トップライン縁及び前記ソール縁が、前記レッジと接触しており、且つ、（ｂ）前記ヒール縁が、前記クラブヘッド本体から延在するリップと接触している。
【０００６】
上記の態様の別の実施例では、前記打撃面が前記外周接触リムの付近に固定される。実施例では、前記本体部分が、トップライン縁、ソール縁、ヒール縁、及びトー縁を備え、前記レッジが、実質的に前記トップライン縁、前記ソール縁、前記ヒール縁、及び前記トー縁のうちの少なくとも１つの全長に沿って延在する別の実施例では、前記レッジが、２つのレッジを含み、前記２つのレッジが、前記外周接触リムの対向する縁の近傍に配置される。
【０００７】
別の態様では、ゴルフクラブヘッドに関する技術であり、ゴルフクラブヘッドは、外周接触リム、及び前記外周接触リムの対向する少なくとも２つの縁から内方へ延在するレッジを備えるクラブヘッド本体と、前記外周接触リムの近傍で前記クラブヘッド本体に接続された打撃面と、中央領域を画定する中央部分、及び前記中央部分を取り囲むと共に前記中央領域よりも小さい縁領域を画定する縁を備える内壁であって、前記縁が前記レッジと接触しており、前記打撃面が中立位置にあるときも撓み位置にあるときも、前記打撃面の裏面が前記中央部分に接触すると共に前記縁から離間している、内壁と、を備える。実施例では、前記中立位置における前記縁と前記打撃面の前記裏面との間隔が、前記撓み位置における前記縁と前記打撃面の前記裏面との間隔よりも大きい。別の実施例では、前記中央領域が、前記内壁の総面積の約７８％の面積を有する。さらに別の実施例では、前記打撃面及び前記内壁が実質的に類似した外周形状を有する。
【０００８】
この考案の概要は、以下の考案を実施するための形態でさらに説明する概念の選択を簡略化された方式で紹介するために提供される。この考案の概要は、請求項に記載の考案特定事項の重要な特徴または本質的な特徴を特定することを意図するものでもなく、請求項に記載の考案特定事項の範囲を限定するために使用されることも意図していない。
【図面の簡単な説明】
【０００９】
非限定的で非網羅的な実施例を下記の図面を参照しながら説明する。
【００１０】
【図１Ａ】図１Ａは、ゴルフクラブの斜視図である。
【図１Ｂ】図１Ｂは、二重壁の打撃面及びソールチャネルを有するゴルフクラブヘッドの実施例の断面図である。
【図１Ｃ】図１Ｃは、二重壁の打撃面及びソールチャネルを有するゴルフクラブヘッドの別の実施例の断面図である。
【図１Ｄ】図１Ｄは、図１Ａ〜図１Ｃに示されたゴルフクラブヘッドの背面図である。
【図２Ａ】図２Ａは、二重壁の打撃面及びソールチャネルを有するゴルフクラブヘッドの別の実施例の断面図である。
【図２Ｂ】図２Ｂは、図２Ａのゴルフクラブヘッドの底面図である。
【図３】図３は、二重壁の打撃面を有するゴルフクラブヘッドの別の実施例の断面図である。
【図４Ａ】図４Ａは、二重壁の打撃面及びソールチャネルを有するゴルフクラブヘッドの別の実施例の断面図である。
【図４Ｂ】図４Ｂは、図４Ａのゴルフクラブヘッドの底面図である。
【図５Ａ】図５Ａは、二重壁の打撃面及びソールチャネルを有するドライバーのゴルフクラブヘッドの斜視図である。
【図５Ｂ】図５Ｂは、図５Ａのゴルフクラブヘッドの断面図である。
【図５Ｃ】図５Ｃは、図５Ａ〜図５Ｂのゴルフクラブヘッドの底面図である。
【図６】図６は、後方支持壁を具備するゴルフクラブヘッドの別の実施例の分解斜視図である。
【図７】図７は、図６のクラブヘッド本体の正面図である。
【図８】図８は、図６のゴルフクラブヘッドの側面視断面図である。
【図９】図９は、図６のゴルフクラブヘッドの上面視断面図である。
【図１０Ａ】図１０Ａ及び図１０Ｂは、中立位置の図６のゴルフクラブヘッドの拡大された部分的な側面視断面図である。
【図１０Ｂ】図１０Ｂは、撓み位置の図６のゴルフクラブヘッドの拡大された部分的な側面視断面図である。
【考案を実施するための形態】
【００１１】
本明細書で説明された技術は、二重壁の打撃面を備えるアイアン、フェアウェイメタル、ドライバー、又はその他のゴルフクラブヘッドなどのゴルフクラブヘッドを意図しており、例えば、外側の打撃面に接触する内壁構造体を有するゴルフクラブヘッドなどである。実施例では、そのようなクラブヘッドは、ソールチャネルを備える場合がある。内壁構造体の一方の端部はゴルフクラブヘッドに固定されるのに対し、内壁構造体のもう一方の端部は固定されずに、内壁構造体が打撃面の裏面に対して摺動することができるようになっている。このような内壁構造体は、打撃面のばね効果に寄与し、それによって、打撃面の中央及び上端の付近の打撃からのボールスピード及び打ち出し特性が向上する。また、ゴルフクラブヘッドはソールチャネルも備えてもよく、このソールチャネルは、打撃面の中央及び下端の付近の打撃のための向上したボールスピード及び打ち出し特性を生み出す。したがって、二重壁の打撃面及びソールチャネルを連携して使用することによって、トップラインからソールまでの打撃面全体にわたって、打ち出し角度などの打ち出し特性、スピン特性、及びボールスピードの向上がもたらされる。それ故、ターフからのショット及びティーからのショットの両方で、向上した打ち出し特性が生じる。
【００１２】
図１Ａは、内壁構造体１０２及びソールチャネル１０５を有するゴルフクラブヘッド１００の斜視図を示しており、図１Ｂは、ゴルフクラブヘッド１００の断面図を示している。図１Ａ〜図１Ｂは、同時に説明される。ゴルフクラブヘッド１００は、ソール部１０４、トー部１０８、トップライン１０６、及びヒール部１１０に取り付けられた打撃面１１８を備える。また、トップライン１０６は、後部１１２にも取り付けられる。内壁構造体１０２は、後部１１２から打撃面１１８の方へ延在し、第１の空洞１２０は、断面において、後部１１２、トップライン１０６、及び内壁構造体１０２によって部分的に画定されている。内壁構造体１０２は、後部１１２に取り付けられた固定端部１１４、及び非固定端部１１６を備える。固定端部１１４は、溶接、ろう付け、又は、ネジやリベットなどの締結の他に、その他の適切な取付方法によって後部１１２に取り付けられてもよい。非固定端部１１６は、トップライン１０６の内部の部分の凹部１０７に受容されている。凹部１０７は、非固定端部１１６がそこから自由に動くことができるように、内壁構造体１０２の非固定端部１１６を受容するものの固定したり固着させたりしないような形状や構成になっている。また、内壁構造体１０２は、支持部１０１及び接触部１０３も備える。支持部１０１は、打撃面１１８の裏面に接触する接触部１０３を支持する。図示された実施例では、支持部１０１は、概ね、後部１１２から打撃面１１８まで、角が付けられたＶ形状となっており、支持部１０１の構成要素は、打撃面１１８に対して実質的に直角に延在する。接触部１０３は、打撃面１１８に対して実質的に平行に延びている。接触部１０３と打撃面１１８との間の摩擦を低減させるために、それらの要素の間に注油されてもよい。これにより、表面同士を容易に摺動させることができる。さらに、いくつかの実施例では、それらの接触する要素の表面に、極めて滑らかな表面を作り出すための追加の機械加工や処理が行なわれ、それらの間の摩擦を更に低減される。また、接触部１０３は、デラウエア州ウィルミントンのイー・アイ・デュポン・ド・ヌムール・アンド・カンパニー社から入手できるテフロン（登録商標）のコーティングなどのポリマーや、或いは、振動、摩擦、及び、ゴルフボールを打撃するときに出る音特性の変更を管理のための他の類似の材料でコーティングされてもよい。
【００１３】
打撃面１１８は、厚肉部１１９及び薄肉部１２１を備えて、複数の厚さを有してもよい。厚肉部１１９の厚さは、薄肉部１２１の厚さよりも大きい。内壁構造体１０２は、薄肉部１２１に対する追加の支持を提供するので、薄肉部１２１は、内壁構造体１０２が無い場合よりも薄くすることができる。実施例では、厚肉部１１９の厚さは、薄肉部１２１の厚さの約２倍である。一実施例では、薄肉部１２１は約０．９ｍｍの厚さを有してもよく、厚肉部１１９は約１．４ｍｍの厚さを有してもよい。
【００１４】
打撃面１１８の薄肉部１２１と接触部１０３との厚さは異なっていてもよい。例えば、接触部１０３の厚さは、打撃面１１８の薄肉部１２１の厚さの約２倍であってもよい。いくつかの実施例では、打撃面１１８の薄肉部１２１の厚さに対する接触部１０３の厚さの比は、概ね１．５：１、２．５：１、又は３：１であってもよい。他の実施例では、接触部１０３の厚さは、概ね、打撃面１１８の厚肉部１１９の厚さとほぼ同じであってもよい。
【００１５】
内壁構造体１０２及び打撃面１１８を作り出すのに使用される材料の種類は異なっていてもよい。一実施例として、内壁構造体１０２は高強度の低密度材料で作られてもよいのに対し、打撃面１１８は、比較的により高い密度であって比較的により低い強度である材料で作られてもよい。別の実施例として、打撃面１１８は、低弾性率を有する材料から作られてもよいのに対し、内壁構造体１０２は、比較的により高い弾性率を有する材料から作られてもよい。例えば、打撃面１１８は鋼材料から作られてもよく、内壁構造体１０２はチタン材料から作られてもよい。別の例では、内壁構造体１０２は、マルエージング鋼Ｃ３５０などの高強度鋼から作られてもよく、打撃面１１８は、マルエージング鋼Ｃ３００などの低強度鋼から作られてもよい。異なる種類の材料を使用した上記の実施例では、接触部１０３の厚さは、打撃面１１８の薄肉部１２１の厚さとほぼ同じであってもよい。そのような材料は、振動を減衰させると共に表面間の摩擦を管理するために、ポリマーでコーティングされてもよい。例えば、接触部１０３を低摩擦ポリマーでコーティングすることができる。
【００１６】
ゴルフクラブヘッド１００は、ソールチャネル１０５も備えてもよい。ソールチャネル１０５は、前縁１２４及び後縁１２６を備える。ソールチャネル１０５は、ヒール部１１０付近からトー部１０８まで延在してもよく、打撃面１１８と実質的に同じ幅であってもよい。図示された実施例では、ソールチャネル１０５は、後部１１２をソール部１０４から分離させる。内壁構造体１０２の固定端部１１４は、後縁１２６において後部１１２に取り付けられる。ソールチャネル１０５は、（断面において）厚肉部１１９、ソール部１０４、及び内壁構造体１０２によって部分的に画定された第２の空洞１２２の中への貫通孔を形成している。いくつかの実施例では、ソールチャネル１０５には、ポリマーや他の弾性材料が詰められたり張設されたりしており、破片が第２の空洞１２２に侵入することが防止される。ソールチャネル１０５の取り込みによって、打撃面１１８の下部をさらに撓ませることができ、それによって、打撃面１１８の下領域で生じるゴルフボール打撃から追加のボールスピードが提供される。
【００１７】
図１Ｃは、内壁構造体１０２及びソールチャネル１０５を有するゴルフクラブヘッド１００Ｃの別の実施例の断面図を示している。ゴルフクラブヘッド１００Ｃは、図１Ｂに示されたゴルフクラブヘッド１００と実質的に同じであるので、その要素の全てを更に説明することはしない。ただし、ゴルフクラブヘッド１００Ｃでは、支持部１０１Ｃは、湾曲したＣ形状となっている。打撃面１１８に対して直角な湾曲したＣ形状の構成要素はサイズが縮小されるので、支持部１０１Ｃの湾曲したＣ形状によって、打撃面１１８及び接触部１０３をより大きく撓ませることができる。
【００１８】
図１Ｄは、図１Ａ〜図１Ｃに示されたゴルフクラブヘッド１００，１００Ｃの背面図を示している。ソールチャネル１０５は、後部１１２の下端側にわたって、打撃面１１８に対して実質的に平行する方向に延びている。図示された実施例では、ソールチャネル１０５は、ソール部１０４の一部を後部１１２から分離させる。いくつかの実施形態では、ソールチャネル１０５は、打撃面１１８の幅、若しくは内壁構造体１０２の幅、又はその両方とほぼ同じ幅Ｗを有していてもよい。他の実施例では、ソールチャネル１０５の幅Ｗは、ゴルフボールの直径（つまり、約１．６〜１．７インチ）とほぼ同じか、それ以上である。上記で説明したように、ソールチャネル１０５には、弾性材料が詰められたり張設されたりしてもよい。
【００１９】
図２Ａ〜図２Ｂは、別のゴルフクラブヘッド２００の断面図及び底面図をそれぞれ示しており、同時に説明される。ゴルフクラブヘッド２００は、図１Ａ〜図１Ｃに示された上記したゴルフクラブヘッド１００，１００Ｃと類似している。そのため、両方の構成に共通する要素には同じように符号を付すが、必ずしもさらに説明するとは限らない。内壁構造体２０２は、支持部２０１、接触部２０３、固定端部２１４、非固定端部２１６を備える。支持部２０１は、湾曲したＳ形状となっており、接触部２０３は、打撃面２１８に対して実質的に平行する。打撃面２１８は、厚肉部２１９及び薄肉部２２１も備えてもよい。第１の空洞２２０及び第２の空洞２２２の２つの空洞も形成される。
【００２０】
ソールチャネル２０５は、打撃面２１８の近傍に位置する。ソールチャネル２０５を打撃面２１８に近づけることによって、ゴルフボールを打撃したときに打撃面２１８の厚肉部２１９の撓みが増大する。ソールチャネル２０５の後縁２２６はソール部２０４の裏セグメントによって形成され、ソールチャネル２０５の前縁２２４は、ソール部２０４の表セグメントによって形成される。打撃面２１８に直接的に取り付けられたソール部２０４が少ないので、厚肉部２１９の撓みに対する抵抗が少ない。したがって、増大した撓みは、打撃面２１８の厚肉部２１９の近くで起こるボール打撃によって生じるボールスピードの増大をもたらすことができる。ソールチャネル２０５は、図２Ｂに示されているように、打撃面２１８に対して実質的に平行に延びてもよい。ソールチャネル２０５には、弾性材料が詰められたり張設されたりしてもよい。
【００２１】
図３は、ゴルフクラブヘッド３００の別の実施例を示している。ゴルフクラブヘッド３００は、上述したゴルフクラブヘッドと類似しており、そのため、それらの構成とゴルフクラブヘッド３００との共通の要素には、同じように符号を付すが、必ずしもさらに説明するとは限らない。ゴルフクラブヘッド３００は、トップライン３０６、トー部３０８、及びヒール部３１０に取り付けられるが、ソール部３０４に少なくとも部分的に取り付けられていない打撃面３１８を備える。したがって、打撃面３１８はトップライン３０６でヒンジ状に有効に動くようになっていて、打撃面３１８の動きを可能になっている。他の実施形態では、打撃面３１８は、トー部３０８やヒール部３１０に直接的に取り付けられていなくてもよい。
【００２２】
内壁構造体３０２は、固定端部３１４及び非固定端部３１６を備える。固定端部３１４は、打撃面３１８の直ぐ後ろでソール部３０４の前縁に取り付けられている。内壁構造体３０２全体が打撃面３１８の裏面に接触するので、内壁構造体３０２は支持部を備えていなくてもよい。ただし、いくつかの実施例では、内壁構造体３０２は、溶接又はその他の締結手段によってソール部３０４に取り付けられるようにする小さい支持部を備えてもよい。上記で示された実施形態とは異なり、空洞３２０が１つだけのある。
【００２３】
内壁構造体３０２及び打撃面３１８は、ゴルフクラブヘッド３００の両側部分で、固定されたり、ヒンジ状に有効に動くようになっていたりする。より具体的には、図示された実施例では、内壁構造体３０２は、ソール部３０４のところに固定端部３１４を有し、トップライン３０６の近くに非固定端部３１６を有しており、打撃面３１８は、トップライン３０６のところに固定端部を有し、ソール部３０４の近くに非固定端部を有している。このような構成によって、内壁構造体３０２が打撃面３１８の裏面に対して摺動することができ、また、打撃面３１８とは別に撓むことができる。例えば、ゴルフボールの打撃のとき、打撃面３１８は上方向に動くのに対し、内壁構造体３０２は下方向に動く。
【００２４】
他の実施例では、内壁構造体３０２及び打撃面３１８の固定端部及び非固定端部は、図３に示された実施例とは逆にしてもよい。つまり、内壁構造体３０２は、トップライン３０６のところに固定端部を有し、ソール部３０４の近くに非固定端部を有してもよく、打撃面３１８は、ソール部３０４のところに固定端部を有し、トップライン３０６の近くに非固定端部を有してもよい。更に他の実施例では、内壁構造体３０２は、トー部３０８のところに固定端部を有し、ヒール部３１０の近くに非固定端部を有してもよく、打撃面３１８は、ヒール部３１０のところに固定端部を有し、トー部３０８の近くに非固定端部を有してもよく、または、その逆であってもよい。
【００２５】
さらに、実質的に打撃面３１８の裏面全体が内壁構造体３０２に接触するので、打撃面の厚さ３１８は均一であってもよい。打撃面３１８の厚さは、内壁構造体３０２の厚さよりも小さくてもよく、打撃面３１８及び内壁構造体３０２は異なる材料で作られてもよい。
【００２６】
図４Ａ〜図４Ｂは、別のゴルフクラブヘッド４００の断面図及び底面図をそれぞれ示しており、同時に説明される。ゴルフクラブヘッド４００は、上述したゴルフクラブヘッドと類似している。そのため、ゴルフクラブヘッド４００及び上述したゴルフクラブヘッドの構成の共通する要素は、同じように符号を付すが、必ずしもさらに説明するとは限らない。ゴルフクラブヘッド４００の内壁構造体４０２は、固定端部４１４及び非固定端部４１６を備える。固定端部４１４は、ソール部４０４、トー部４０８、及び／又は、ヒール部４１０に取り付けられてもよく、非固定端部４１６は、トップライン４０６の内部の部分の凹部４０７内に受容される。いくつかの実施形態では、内壁構造体４０２は、ソールチャネル４０５よりも幅広であってもよく、内壁構造体４０２の固定端部４１４は、ソールチャネル４０５の外でトー部４０８及びヒール部４１０の方へ  延在するソール部４０４の部分に取り付けられてもよい。打撃面４１８は、トップライン４０６のところに固定端部を有し、ソール部４０４の近くに非固定端部を有する。したがって、内壁構造体４０２は、打撃面４１８の裏面に対して摺動することができる。いくつかの実施例では、打撃面４１８は、トー部４０８、若しくはヒール部４１０、またはその両方に取り付けられてもよい。
【００２７】
ソールチャネル４０５は、ゴルフクラブヘッド４００の前部の近傍に位置しており、内壁構造体４０２及び打撃面４１８を残りのソール部４０４から分離させる。例えば、ソールチャネル４０５の前縁４２４は内壁構造体４０２の固定端部４１４によって画定され、後縁４２６はソール部４０４によって画定される。ソールチャネル４０５をさらにゴルフクラブヘッド４００の前部の方へ配置することによって、打撃面４１８の下部における打撃によって生じるボールスピードに更に加えて、打撃面４１８の下端部をより容易に撓ませることができる。ソールチャネル４０５には、弾性材料が詰められたり張設されたりしてもよい。いくつかの実施形態では、例えば摩耗を防止するために、可撓性のあるコーティングが、ゴルフクラブヘッド４００の底面をコーティングして、打撃面４１８の縁及び内壁構造体４０２のいずれかの外縁とを被覆してもよい。
【００２８】
図５Ａは、内壁構造体５０２及びソールチャネル５０５を有するドライバーのゴルフクラブヘッド５００の斜視図を示している。図５Ｂは、ゴルフクラブヘッド５００の断面図を示しており、図５Ｃは、ゴルフクラブヘッド５００の底面図を示している。図５Ａ〜図５Ｃは同時に説明される。ゴルフクラブヘッド５００は、クラウン５０６と、そこに取り付けられたソール部５０４とを備える。ゴルフクラブヘッド５００は、クラウン５０６及びソール部５０４の一部分に取り付けられた打撃面５１８も備える。内壁構造体５０２は、ソールチャネル５０５の後縁５２６の近くでソール部５０４に取り付けられた固定端部５１４を備える。非固定端部５１６は、打撃面５１８やクラウン５０６に固定されていない。いくつかの実施形態では、クラウン５０６は、上述した構成と同様に、内壁構造体５０２の非固定端部５１６を受容するための凹部（図示せず）を備えてもよい。内壁構造体５０２は、支持部５０１及び接触部５０３も備える。支持部５０１は、湾曲したＣ形状、湾曲したＳ形状、又はその他の形状であってもよい。接触部５０３は、打撃面５１８の裏面の大部分に接触してもよい。いくつかの実施例では、実質的に打撃面５１８の裏面全体が内壁構造体５０２を背にしている。いくつかの実施形態では、打撃面５１８及び内壁構造体は、上記で説明したように、同じ材料又は異なる材料で構成されてもよい。さらに、接触部１０３は、振動や音の性質を管理したり摩擦を低減させるためにポリマーでコーティングされてもよい。ゴルフクラブヘッド５００は、（断面において）ソール部５０４、クラウン５０６、及び内壁構造体５０２によって部分的に画定された空洞５２０も備える。
【００２９】
ソールチャネル５０５は、ソール部５０４の中に組み込まれている。図示された実施例では、ソールチャネル５０５の前縁５２４は、打撃面５１８の下縁によって画定され、ソールチャネル５０５の後縁５２６は、ソール部５０４によって画定されている。したがって、ソールチャネル５０５は、打撃面５１８の一部をソール部５０４から分離させる。ソールチャネル５０５は、実質的にゴルフボールの直径の大きさの幅か、或いはそれ以上の幅を有してもよい。いくつかの実施例では、ソールチャネル５０５は、ゴルフボールの直径の大きさの２倍よりも大きい幅を有してもよい。上記で説明されたソールチャネル及び内壁構造体の利益及び特徴の多くは、ゴルフクラブヘッド５００にも適用可能である。さらに、ソールチャネル５０５及び内壁構造体５０２が、ドライバーのゴルフクラブヘッド５００に示されていながら、そのような構造体は、フェアウェイメタルウッド、及びハイブリッドクラブなどの他のメタルウッドの中に取り込まれてもよい。
【００３０】
図６は、ゴルフクラブヘッド６００の別の実施例の分解斜視図である。ゴルフクラブヘッドは、本書でより詳細に説明されているように、クラブヘッド本体６０２、打撃面６０４、及び本体６０２と打撃面６０４との間に配置された内壁６０６を備える。クラブヘッド本体６０２は、当該技術分野で一般的に知られているように、トップライン６０８、ソール６１０、ヒール６１２、及びトー６１４によって画定された周囲を備える。さらに、打撃面６０４及び内壁６０６の各々は、クラブヘッド本体６０２の対応する部分６０８，６１０，６１２，６１４の各々の近傍に配置された縁又は部分を備える。本体６０２は、本体６０２の外周から内方へ延在するレッジ６１６を備える。レッジ６１６は、内壁６０６の１つ以上の縁に沿った支持部を提供する。図示された構造では、レッジ６１６はクラブヘッド本体６０２のトップライン６０８、ソール６１０、及びトー６１４の近傍にあるが、それらから分離している。他の実施例では、レッジ６１６は、トップライン６０８、ソール６１０、ヒール６１２、及びトー６１４の各々から延在してもよい。他の実施例では、レッジ６１６は、それらの特徴部のうちの２つだけから延在してもよく、それらは概ね互いに対向してもよい。レッジ６１６は、典型的には内壁６０６の外周縁６２０の近傍で、内壁６０６の裏面に接触する平坦な又は概ね平坦な接触面６１８を備える。また、レッジ６１６は、内壁６０６が使用中に撓むにつれて内壁６０６に生じる応力を低減させる湾曲した縁部分６２２も備えてもよい。クラブヘッド本体６０２は、立ち上がった壁であり得るレスト６２４、又は、製造を補助するのに用いられ得る他の特徴を備えてもよい。例えば、内壁６０６のヒール縁６２６は、その適切な位置決めを確実にするために、製造中にレスト６２４に当接させて置くことができる。その後、内壁６０６をそこに保持するために、打撃面６０４がクラブヘッド本体６０２に固定されてもよい。トップライン６０８、ソール６１０、ヒール６１２、トー６１４、内壁６０６、及び裏壁６２３は、ゴルフクラブヘッド６００の中に空洞６２７を画定してもよい。内壁６０６が使用中に空洞６２７の中へ撓むにつれて、空洞６２７内の圧力が増大し得る。圧力リリーフ６２５が、クラブヘッド本体６０２の一部分によって画定されてもよく、且つ、空洞６２７内の圧力変化に順応しながら水や屑の侵入を防止するために薄い可撓性フィルム又はその他のメンブランによって覆われてもよい。
【００３１】
内壁６０６は、例えば、高強度鋼や鋼合金で製造された薄いプレートであってもよい。例示的な材料としては、Ａｅｒｍｅｔ  ３２０、Ａｅｒｍｅｔ  ３４０などが挙げられる。内壁６０６は、クラブヘッド本体６０２（より具体的には、そこにレッジ６１６によって概ね画定された開口６２８）若しくは打撃面６０４、又はその両方の外周形状に実質的に類似した外周形状を有してもよい。内壁６０６は、中央領域６３０と、中央領域６３０を区画する縁領域６３２とを有し、縁領域６３２は、概ね平坦である。縁領域６３２は、内壁６０６の外周縁６２０の厚さが中央領域６３０の厚さよりも薄くなるようにテーパーになっている。実施例では、中央領域６３０は、約１．７５ｍｍから約１．３５ｍｍの間の厚さを有してもよい。中央領域６３０の厚さは約１．７５ｍｍ、約１．６５ｍｍ、又は約１．５ｍｍが望ましいが、他の厚さも考えられる。外周縁６２０での内壁６０６の厚さは、約１．３５ｍｍから約０．８ｍｍの間にすることができる。外周縁６２０の厚さは、約１．３ｍｍ、約１．２ｍｍ、又は約１．０５ｍｍにすることができる。勿論、外周縁６２０での厚さは、中央部分６３０の厚さよりも薄い。テーパー状の縁領域６３２によって、ゴルフボールを打っているときに、打撃面６０４に力をかけずに内壁６０６を撓ませることができ、それ故に、内壁６０６がクラブヘッド本体６０２から意図せずに離間することが防止される。これは、下記の図１０Ａ及び図１０Ｂによって詳細に示されている。
【００３２】
内壁６０６の中央領域６３０と縁領域６３２との相対的な大きさは、ゴルフクラブヘッド６００の性能に影響を及ぼすように、必要に応じて、又は所望されるように変更されてもよい。中央領域６３０は、ゴルフクラブヘッド６００が中立位置にあるときに打撃面６０４の裏面に接触する内壁６０６の領域として定義されてもよい。縁領域６３２は、ゴルフクラブヘッド６００が中立位置にあるときに打撃面６０４の裏面に接触しない内壁６０６の領域として定義されてもよい。実施例では、中央領域６３０は、内壁６０６の正面の総面積の約７５％、約７８％、又は約８０％を表してもよい（この場合、縁領域は、それぞれ、内壁６０６の総面積の約２５％、約２２％、及び約２０％を表す）。一般に、内壁６０６の中央領域６３０が大きいほど、内壁が撓んでいる間の打撃面６０４での戻し力は大きくなる。
【００３３】
打撃面６０４は概ね平坦であってもよいが、打撃面６０４の打撃部分６３６の周りに少なくとも部分的に延在することができるリム６３４も備えてもよい。この場合、リム６３４は、打撃面６０４のトップライン縁６３８、ソール縁６４０、及びトー縁６４２に沿って配置される。これらの縁６３８、６４０、６４２は、打撃面６０４をクラブヘッド本体６０２に固定するために、クラブヘッド本体６０２上の接触リム６４４に固定される。打撃面６０４は、溶接、化学接着剤、摩擦接触などによって接触リム６４４に固定されてもよい。この実施例では、打撃面６０４のヒール縁６４６は、リム６３４のいかなる部分も備えてなく、したがって、平坦なレスト６２４に固定されてもよい。レッジ６１６は、概ね接触リム６４４から分離して内方へ延在してもよい。打撃面６０４の厚さは、約０．９ｍｍから約１．２５ｍｍにすることができる。
【００３４】
打撃面６０４と内壁６０６との間の厚さのある関係性は、特に望ましい結果を生み出すことができる。これらの構成部品の各々の例示的な厚さは、上記されている。例えば、特に望ましいモデルは、前壁厚さに対する内壁厚さの比率が約１．２から約１．５の間であることが判明された。一つの特定の実施例では、内壁６０６の厚さが約１．５ｍｍであると共に、前壁の厚さが約１．２５ｍｍである。
【００３５】
図７は、図６のクラブヘッド本体６０２の正面図を示している。図７に示された複数の特徴は、図６の文脈で上述されており、したがって、必ずしも更に説明されるとは限らない。上述したとおり、クラブヘッド本体６０２は、湾曲した縁部分６２２で終端するレッジ６１６を備える。図示されたクラブヘッド本体６０２は、トップライン６０８、ソール６１０、及びトー６１４の各々の近傍にレッジ６１６を備える。したがって、内壁（図示せぬ）は、内壁が中立位置（すなわち、撓んでいない位置）にあるときにレッジ６１６のこれらの部分の各々と（つまり、トップライン６０８、ソール６１０、及びトー６１４の近傍で）接触して配置される。内壁が空洞６２７の中へ撓むにつれて、その縁の裏面は湾曲した縁部分６２２に接触する。ただし、クラブヘッド本体６０２のヒール６１２の近傍にある内壁の一部分は、異なる働きをする。図７に見られるように、レッジ６１６は、ヒール６１２の近傍に延在しない。したがって、ヒール６１２の近傍にある内壁の裏面は、中立位置（すなわち、撓んでいない位置）にあるとき、レッジ６１６によって支持されていない。しかしながら、内壁が撓むにつれて、ヒール６１２の近傍にある内壁の裏面は、ヒール６１２から内方へ延在するリップ６５０に接触する。リップ６５０は、レッジ６１８の湾曲した縁部分６２２に概ね連続してもよい。内壁の裏面とリップ６５０との間の接触は、ゴルフクラブヘッドの性能を向上させる。内壁をその周囲全体の近くで支持することがゴルフクラブヘッドの性能を向上させるとは限らないことが試験によってわかった。実際に、内壁６０６がトップライン６０８、ソール６１０、及びトー６１４の近傍に配置された縁において中立位置に支持されているが、ヒール６１２において支持されていない場合に、性能は格段に向上することがある。
【００３６】
図８は、図６のゴルフクラブヘッド６００の側面視断面図である。図８に示された複数の特徴は、図６及び図７の文脈で上述されており、したがって、必ずしも更に説明されるとは限らない。打撃面６０４のリム６３４がクラブヘッド本体６０２の接触リム６４４に固定されると、レッジ６１６と打撃面６０４の裏面６６２との間に隙間６６０が形成される。この隙間６６０の中にテーパー状の縁領域６３２が配置される。この構造の場合、内壁６０６の中央領域６３０が打撃面６０４の裏面６６２と接触する。図８に見られるように、テーパー状の縁領域６３２の正面側の表面は、中立位置にあるときに裏面６６２に接触しない。さらに、テーパーがあることによって、内壁６０６が撓み位置にあると（例えば、打撃面６０４がゴルフボールを打って打撃面６０４及び内壁６０６の両方が撓むと）、テーパー状の外縁６３２は、外縁６３２が前方へ撓むので、裏面６６２に反応力が作用しないはずである。。これは、下記の図１０Ａ及び図１０Ｂによって更に詳細に示されている。
【００３７】
図９は、図６のゴルフクラブヘッド６００の上面視断面図である。図９に示された複数の特徴は、図６〜図８の文脈で上述されており、したがって、必ずしも更に説明されるとは限らない。とりわけ、図９は、第１の側が内壁６０６のヒール縁６２６に当接し、第２の側が打撃面６０４ヒール縁６４６に当接するレスト６２４を示している。さらに、内壁６０６のヒール縁６２６におけるリップ６５が図示されている。図示されているように、リップ６５０は、クラブヘッド本体６０２の反対側に配置されたレッジ接触面６１８よりも奥行きが相当小さい突起を画定している。したがって、内壁６０６のヒール縁６２６の撓みは、内壁６０６のトー縁６５２の撓みとは異なる。その場合、レッジ６１６の様々な奥行きは、内壁６０６を利用するゴルフクラブヘッド６００の性能を変えることができる。これらの場合、より長い、又はより短い接触面６１８を具備するレッジ６１６は、特定の活用に必要な又は所望されるものとして利用されることがある。
【００３８】
図１０Ａは中立位置における図６のゴルフクラブヘッド６００の拡大された部分的な側面視断面図であり、図１０Ｂは撓み位置における図６のゴルフクラブヘッド６００の拡大された部分的な側面視断面図である。図１０Ａでは、打撃面６０４の裏面６６２とレッジ６１６の接触面６１８との間の隙間６６０に、テーパー状の縁領域６３２が示されている。図示された構造では、打撃面６０４のリム６３４は、クラブヘッド本体６０２の接触リム６４４に固定される。内壁６０６の中央領域６３０は、打撃面６０の４裏面６６２と接触している。中立位置では、縁領域６３２のテーパーが、テーパー状の縁表面６３２と打撃面６０４の裏面６６２との間に第１空間Ｓ１を画定する。図１０Ｂについて言及すると、例えばゴルフボールと接触することに起因する打撃面６０４の撓みが図示されている。打撃面６０４の裏面６６２が内壁６０６の中央部分６３０と接触しているので、その撓みも内壁６０６を撓ませる。これに応じて、内壁６０６の周囲の近くに配置されたテーパー状の縁領域６３２が、打撃面６０４の裏面６６２へ向かって前方へ撓む。これは、空間Ｓ１よりも狭い空間Ｓ２まで、テーパー状の縁表面６３２と裏面６６２との間の距離を低減させる。しかしながら、テーパー状の縁領域６３２の形状に起因して、裏面６６２との接触が減少されたり排除されたりする。これは、裏面６６２に対する力の作用を防止し、これは、打撃面６０４のリム６３４とクラブヘッド本体６０２の接触リム６４４との間の接続の完全性を維持するのを助けることができる。
【００３９】
具体的な実施形態、及び態様が本書で説明されて具体的な実施例が提供されたが、技術範囲は、これらの具体的な実施形態や実施例に限定されない。当業者であれば、本技術の範囲及び要旨に含まれる他の実施形態や改善を認識したであろう。したがって、具体的な構造、作用、又は着想は、単に図示された実施形態として開示されているだけである。技術範囲は、下記の実用新案登録請求の範囲及びその同等のものによって規定される。
【符号の説明】
【００４０】
６００  ゴルフクラブヘッド
６０２  クラブヘッド本体
６０４  打撃面
６０６  内壁
６０８  トップライン
６１０  ソール
６１２  ヒール
６１４  トー
６１６  レッジ
６１８  レッジ接触面
６２０  外周縁
６２２  縁部分
６２３  裏壁
６２４  レスト
６２５  圧力リリーフ
６２６  ヒール縁
６２７  空洞
６２８  開口
６３４  リム
６３６  打撃部分
６３８  トップライン縁
６４０  ソール縁
６４２  トー縁
６４４  接触リム
６４６  ヒール縁
６５０  リップ
６５２  トー縁
６６０  隙間
６６２  裏面
【図１Ａ】
0003220763.tif 000003
【図１Ｂ】
0003220763.tif 000004
【図１Ｃ】
0003220763.tif 000005
【図１Ｄ】
0003220763.tif 000006
【図２Ａ】
0003220763.tif 000007
【図２Ｂ】
0003220763.tif 000008
【図３】
0003220763.tif 000009
【図４Ａ】
0003220763.tif 000010
【図４Ｂ】
0003220763.tif 000011
【図５Ａ】
0003220763.tif 000012
【図５Ｂ】
0003220763.tif 000013
【図５Ｃ】
0003220763.tif 000014
【図６】
0003220763.tif 000015
【図７】
0003220763.tif 000016
【図８】
0003220763.tif 000017
【図９】
0003220763.tif 000018
【図１０Ａ】
0003220763.tif 000019
【図１０Ｂ】
0003220763.tif 000020
【手続補正書】
【提出日】平成31年1月30日(2019.1.30)
【手続補正１】
【補正対象書類名】実用新案登録請求の範囲
【補正対象項目名】全文
【補正方法】変更
【補正の内容】
【実用新案登録請求の範囲】
【請求項１】
打撃面と、
外周接触リム、及び前記外周接触リムから延在するレッジを備えるクラブヘッド本体であって、前記打撃面が前記外周接触リムの近傍で前記クラブヘッド本体に固定され、前記レッジが前記打撃面の裏面から離間して前記レッジと前記打撃面との間に隙間を画定するようになっている、クラブヘッド本体と、
外周縁を備える内壁であって、前記外周縁の少なくとも一部分が前記隙間に配置されて前記レッジと接触し、前記打撃面の前記裏面が前記内壁の一部分と接触する、内壁と、
を備えるゴルフクラブヘッド。
【請求項２】
前記レッジが、前記外周接触リムから内方へ延在し、前記レッジが、前記外周接触リムからずれており、前記内壁が、前記打撃面と実質的に平行である、請求項１に記載のゴルフクラブヘッド。
【請求項３】
前記外周縁がテーパー状である、請求項１に記載のゴルフクラブヘッド。
【請求項４】
前記クラブヘッド本体が、ソール、トップライン、ヒール、及びトーを更に備え、前記レッジが、前記ソール、前記トップライン、前記ヒール、及び前記トーのうちの少なくとも１つの近傍に配置されている、請求項１に記載のゴルフクラブヘッド。
【請求項５】
前記外周縁が、前記トップライン及び前記ソールの近傍に配置された前記レッジの一部分と接触している、請求項４に記載のゴルフクラブヘッド。
【請求項６】
前記打撃面が中立位置にあるときに前記外周縁のヒール部分が前記レッジによって支持されていない、請求項４に記載のゴルフクラブヘッド。
【請求項７】
前記打撃面が撓み位置にあるときに前記外周縁の前記ヒール部分がリップと接触している、請求項６に記載のゴルフクラブヘッド。
【請求項８】
前記内壁の前記外周縁が、前記打撃面の外周縁に実質的に類似した形状になっている、請求項１に記載のゴルフクラブヘッド。
【請求項９】
外周接触リム、及び前記外周接触リムの少なくとも一部分から内方へ延在するレッジを備える本体部分であって、前記レッジが、前記外周接触リムから分離している、本体部分と、
縁及び中央部分を有する内側プレートであって、前記縁の少なくとも一部分が前記レッジと接触している、内側プレートと、
前記外周接触リムに固定された打撃面であって、前記打撃面が中立位置にあるときに前記打撃面の裏面が前記内側プレートの前記中央部分と接触している、打撃面と、
を備えるゴルフクラブヘッド。
【請求項１０】
前記打撃面が撓み位置にあるときに前記打撃面の前記裏面が前記内側プレートの前記中央部分と接触している、請求項９に記載のゴルフクラブヘッド。
【請求項１１】
前記内側プレートの前記縁がテーパー状であり、前記撓み位置にあるときに、前記打撃面の前記裏面及び前記内側プレートの外周縁が、前記打撃面の前記裏面と前記内側プレートの前記外周縁との間に空間を画定する、請求項１０に記載のゴルフクラブヘッド。
【請求項１２】
前記内側プレートが、トップライン縁、ソール縁、及びヒール縁を備え、前記打撃面が中立位置にあるときに前記トップライン縁及び前記ソール縁が前記レッジと接触している、請求項９に記載のゴルフクラブヘッド。
【請求項１３】
前記打撃面が撓み位置にあるときに、（ａ）前記トップライン縁及び前記ソール縁が、前記レッジと接触しており、且つ、（ｂ）前記ヒール縁が、クラブヘッド本体から延在するリップと接触している、請求項１２に記載のゴルフクラブヘッド。
【請求項１４】
前記打撃面が前記外周接触リムの付近に固定される、請求項９に記載のゴルフクラブヘッド。
【請求項１５】
前記本体部分が、トップライン縁、ソール縁、ヒール縁、及びトー縁を備え、前記レッジが、実質的に前記トップライン縁、前記ソール縁、前記ヒール縁、及び前記トー縁のうちの少なくとも１つの全長に沿って延在する、請求項９に記載のゴルフクラブヘッド。
【請求項１６】
前記レッジが、２つのレッジを含み、前記２つのレッジが、前記外周接触リムの対向する縁の近傍に配置される、請求項１５に記載のゴルフクラブヘッド。
【請求項１７】
外周接触リム、及び前記外周接触リムの対向する少なくとも２つの縁から内方へ延在するレッジを備えるクラブヘッド本体と、
前記外周接触リムの近傍で前記クラブヘッド本体に接続された打撃面と、
中央領域を画定する中央部分、及び前記中央部分を取り囲むと共に前記中央領域よりも小さい縁領域を画定する縁を備える内壁であって、前記縁が前記レッジと接触しており、前記打撃面が中立位置にあるときも撓み位置にあるときも、前記打撃面の裏面が前記中央部分に接触すると共に前記縁から離間している、内壁と、
を備えるゴルフクラブヘッド。
【請求項１８】
前記中立位置における前記縁と前記打撃面の前記裏面との間隔が、前記撓み位置における前記縁と前記打撃面の前記裏面との間隔よりも大きい、請求項１７に記載のゴルフクラブヘッド。
【請求項１９】
前記中央領域が、前記内壁の総面積の約７８％の面積を有する、請求項１７に記載のゴルフクラブヘッド。
【請求項２０】
前記打撃面及び前記内壁が実質的に類似した外周形状を有する、請求項１７に記載のゴルフクラブヘッド。